(57)【要約】【課題】本発明は、多重ホップ中継方式を使用する広帯域無線接続通信システムにおいて接続識別子を管理するための方法及び装置を提供する。【解決手段】本発明において基地局は、中継局を目的地とするデータと中継局を経て端末機に中継しようとするデータとを接続識別子（ＣＩＤ）によって区分して一つのペイロードに結合し、これに中継接続識別子を結合して中継局に送信する。このペイロードを受信した中継局は、基地局から受信したペイロード領域のデータを接続識別子によって区分して、自身が受信するデータと端末に中継するデータとを各々処理する。【選択図】図４
2009522912.tif 000002
【特許請求の範囲】
【請求項１】
ネットワークのソースにおけるデータの送信方法であって、
少なくとも一つのパケットに対して各パケットが送信される目的地の接続識別子（Ｃｏｎｎｅｃｔｉｏｎ  Ｉｄｅｎｔｉｆｉｅｒ）を確認する過程と、
前記確認された接続識別子に基づいて、上記の目的地が中継局に接続した目的地であるか否かを判断する過程と、
前記中継局に接続した少なくとも一つの前記パケットの目的地が存在する場合には、上記の目的地に送信される前記パケットを含むペイロード（Ｐａｙｌｏａｄ）を生成する過程と、
前記ペイロードが上記の目的地に送信する少なくとも一つの前記パケットを含むことを表す中継接続識別子を前記ペイロードのヘッダとして結合した中継パケットを生成して、前記中継局に送信する過程と、を含むことを特徴とする方法。
【請求項２】
前記中継接続識別子は、送信接続識別子（Ｔｒａｎｓｐｏｒｔ  ＣＩＤ）から選択されることを特徴とする請求項１に記載の方法。
【請求項３】
前記ソースは、基地局又は端末であることを特徴とする請求項１に記載の方法。
【請求項４】
前記中継接続識別子は、
前記中継局が基地局に登録される時点前記基地局から前記中継局に割り当てられることを特徴とする請求項１に記載の方法。
【請求項５】
前記中継接続識別子は、
前記中継局と基地局との間で基本機能を交渉する時点で前記基地局から前記中継局に割り当てられることを特徴とする請求項１に記載の方法。
【請求項６】
前記中継接続識別子は、
前記中継局が必要とする場合に、基地局に要請して前記中継局に割り当てられることを特徴とする請求項１に記載の方法。
【請求項７】
前記中継接続識別子は、
前記中継局と基地局との間で動的サービスの追加手続を行う時点で前記中継局の要請に応じて前記基地局から前記中継局に割り当てられることを特徴とする請求項１に記載の方法。
【請求項８】
前記中継局に接続されていない目的地が存在する場合に、上記の目的地に該当パケットを送信するステップをさらに含むことを特徴とする請求項１に記載の方法。
【請求項９】
前記中継局は、インフラストラクチャー中継局又はクライアント中継局であることを特徴とする請求項１に記載の方法。
【請求項１０】
無線接続通信システムにおける中継局の接続識別子の管理方法であって、
受信データの接続識別子を確認する過程と、
前記接続識別子が、一つのペイロードに少なくとも一つの目的地に送信するパケットを含んでいることを表す中継接続識別子である場合に、前記ペイロード領域で各々の接続識別子を有するデータを分離する過程と、
前記分離したデータの接続識別子を確認する過程と、
前記確認された接続識別子に基づいて前記分離したデータを上記の目的地に送信する過程と、を含むことを特徴とする方法。
【請求項１１】
前記中継接続識別子は、送信接続識別子（Ｔｒａｎｓｐｏｒｔ  ＣＩＤ）から選択されることを特徴とする請求項１０に記載の方法。
【請求項１２】
上記の目的地は、基地局又は端末であることを特徴とする請求項１０に記載の方法。
【請求項１３】
前記中継接続識別子は、
前記中継局が基地局に登録される時点で前記基地局から前記中継局に割り当てられることを特徴とする請求項１０に記載の方法。
【請求項１４】
前記中継接続識別子は、
前記中継局と基地局との間で基本機能を交渉する時点で前記基地局から前記中継局に割り当てられることを特徴とする請求項１０に記載の方法。
【請求項１５】
前記中継接続識別子は、
基地局に要請して前記中継局に割り当てられることを特徴とする請求項１０に記載の方法。
【請求項１６】
前記中継接続識別子は、
前記中継局と基地局との間で動的サービスの追加手続を行う時点で前記基地局へ要請して前記中継局に割り当てられることを特徴とする請求項１０記載の方法。
【請求項１７】
前記接続識別子が前記中継接続識別子ではない場合に、前記受信データを処理する過程をさらに含むことを特徴とする請求項１０に記載の方法。
【請求項１８】
前記分離したデータの接続識別子が前記中継局の接続識別子である場合に、前記接続識別子に対するデータを処理する過程をさらに含むことを特徴とする請求項１０に記載の方法。
【請求項１９】
前記中継局は、インフラストラクチャー中継局又はクライアント中継局であることを特徴とする請求項１０に記載の方法。
【請求項２０】
無線接続通信システムのソースであって、
同じ中継局を介して少なくとも一つの目的地に送信されるデータを結合して一つのペイロードを形成し、前記ペイロードが少なくとも一つの目的地に送信するパケットを含むことを表す中継接続識別子をヘッダとして前記ペイロードに結合して中継パケットを生成し、前記中継パケットを前記中継局に送信する接続識別子管理部を備えることを特徴とするソース。
【請求項２１】
前記中継接続識別子は、送信接続識別子（Ｔｒａｎｓｐｏｒｔ  ＣＩＤ）から選択されることを特徴とする請求項２０に記載のソース。
【請求項２２】
前記ソースは、基地局又は端末であることを特徴とする請求項２０に記載のソース。
【請求項２３】
上記の目的地は、基地局又は端末であることを特徴とする請求項２０に記載のソース。
【請求項２４】
無線接続通信システムの中継局であって、
受信データの接続識別子を確認し、前記受信データの接続識別子が、一つのペイロードに少なくとも一つの目的地に送信するパケットを含んでいることを表す中継接続識別子である場合に、前記データのペイロード領域で各々の接続識別子を有するデータを分離し、前記分離したデータの接続識別子を確認して、前記確認された接続識別子に基づいて前記分離したデータを上記の目的地に送信する接続識別子管理部を備えることを特徴とする中継局 。
【請求項２５】
前記中継接続識別子は、送信接続識別子（Ｔｒａｎｓｐｏｒｔ  ＣＩＤ）から選択されることを特徴とする請求項２４に記載の中継局 。
【請求項２６】
前記接続識別子管理部は、
基地局に登録する時点で前記基地局から前記中継接続識別子を割り当てられることを特徴とする請求項２４に記載の中継局 。
【請求項２７】
前記接続識別子管理部は、
基地局との間で基本機能を交渉する時点で前記基地局から前記中継接続識別子を割り当てられることを特徴とする請求項２４に記載の中継局 。
【請求項２８】
前記接続識別子管理部は、
前記中継接続識別子を基地局に要請して割り当てられることを特徴とする請求項２４に記載の中継局 。
【請求項２９】
前記接続識別子管理部は、
基地局との間で動的サービスの追加手続を行う時点で前記基地局へ前記中継接続識別子を要請して割り当てられることを特徴とする請求項２４に記載の中継局 。
【請求項３０】
前記中継局は、インフラストラクチャー中継局又はクライアント中継局であることを特徴とする請求項２４に記載の中継局 。
【請求項３１】
上記の目的地は、基地局又は端末であることを特徴とする請求項２４に記載の中継局 。
【請求項３２】
接続識別子の管理を行う無線接続通信システムであって、
中継局を目的地とするデータと前記中継局を介して端末機に送信しようとするデータとを含み前記中継局を目的地とするデータと前記中継局を介して端末機に送信しようとするデータとは各々の接続識別子によって区分されている一つのペイロードを生成し、前記ペイロードが少なくとも一つの目的地に送信するパケットを含んでいることを表す中継接続識別子をヘッダとして前記ペイロードに結合し、前記中継接続識別子を有する前記ペイロードを前記中継局に送信する基地局と、
前記基地局から受信したデータが前記中継接続識別子を有する場合に、前記受信したデータのペイロードに含まれる接続識別子ごとに前記ペイロードからデータを分離し、分離した前記データの接続識別子を確認し、確認した前記接続識別子が、中継しなければならない端末機の接続識別子である場合に、該当データを前記端末機に送信する中継局と、を備えることを特徴とするシステム。
【請求項３３】
前記中継接続識別子は、送信接続識別子（Ｔｒａｎｓｐｏｒｔ  ＣＩＤ）から選択されることを特徴とする請求項３２に記載のシステム。
【請求項３４】
前記中継局は、インフラストラクチャー中継局又はクライアント中継局であることを特徴とする請求項３２に記載のシステム。
【発明の詳細な説明】
【技術分野】
【０００１】
本発明は、多重ホップ中継方式を使用するセルラーシステムに関し、特に多重ホップ中継方式を使用する広帯域無線接続通信システムにおいて接続識別子（ＣＩＤ：Ｃｏｎｎｅｃｔｉｏｎ  Ｉｄｅｎｔｉｆｉｅｒ）を管理するための方法及び装置に関する。
【背景技術】
【０００２】
次世代通信システムである第４世代（４ｔｈ  Ｇｅｎｅｒａｔｉｏｎ：以下、４Ｇと称する）通信システムでは、約１００Ｍｂｐｓの送信速度を有する多様なサービス品質（Ｑｕａｌｉｔｙ  ｏｆ  Ｓｅｒｖｉｃｅ：以下、ＱｏＳと称する）のサービスをユーザに提供するために、研究が盛んに進められている。特に、無線近距離通信ネットワーク（Ｌｏｃａｌ  Ａｒｅａ  Ｎｅｔｗｏｒｋ：以下、ＬＡＮと略称する）システム及び無線メトロポリタンエリアネットワーク（Ｍｅｔｒｏｐｏｌｉｔａｎ  Ａｒｅａ  Ｎｅｔｗｏｒｋ：以下、ＭＡＮと称する）システムのような広帯域無線接続（Ｂｒｏａｄｂａｎｄ  Ｗｉｒｅｌｅｓｓ  Ａｃｃｅｓｓ：ＢＷＡ）通信システムに移動性（ｍｏｂｉｌｉｔｙ）とＱｏＳとを保障する形態で研究が盛んに進められており、その代表的な通信システムがＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｄ通信システム及びＩＥＥＥ  ８０２．１６ｅ通信システムである。
【０００３】
前記ＩＥＥＥ  ８０２．１６ｄ通信システム及びＩＥＥＥ  ８０２．１６ｅ通信システムは、物理チャネル（ｐｈｙｓｉｃａｌ  ｃｈａｎｎｅｌ）のために、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；以下、ＯＦＤＭと称する）方式／直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；以下、ＯＦＤＭＡと略称する）方式を使用している。前記ＩＥＥＥ  ８０２．１６ｄ通信システムは、現在、加入者端末機（ＳＳ：Ｓｕｂｓｃｒｉｂｅｒ  Ｓｔａｔｉｏｎ；以下、ＳＳと称する）が固定された状態、すなわちＳＳの移動性を全く考慮しない状態及び単一セル構造のみを考慮しているシステムである。これとは異なり、ＩＥＥＥ  ８０２．１６ｅ通信システムは、前記ＩＥＥＥ  ８０２．１６ｄ通信システムにＳＳの移動性を考慮するシステムであり、前記移動性を有するＳＳを移動端末機（Ｍｏｂｉｌｅ  Ｓｔａｔｉｏｎ；以下、ＭＳと略称する）と称する。
【０００４】
図１は、一般的な広帯域無線接続通信システムの構造を概略的に示す図である。
【０００５】
図１に示すように、前記広帯域無線接続通信システムは、多重セル構造で構成される。すなわち、前記広帯域無線接続通信システムは、セル１００とセル１５０とを有し、前記セル１００を管理する基地局（ＢＳ：Ｂａｓｅ  Ｓｔａｔｉｏｎ）１１０と、前記セル１５０を管理する基地局１４０と、複数のＭＳ１１１、１１３、１３０、１５１、１５３と、で構成される。そして、前記基地局１１０、１４０と前記ＭＳ１１１、１１３、１３０、１５１、１５３との間の信号の送受信は、前記ＯＦＤＭ／ＯＦＤＭＡ方式を使用して行われる。ここで、前記ＭＳ１１１、１１３、１３０、１５１、１５３のうち、ＭＳ１３０は、前記セル１００と前記セル１５０との境界地域、すなわちハンドオーバ（ｈａｎｄｏｖｅｒ）領域に位置する。したがって、前記ＭＳ１３０が前記基地局１１０と信号を送受信する途中に前記基地局１４０が管理するセル１５０側に移動すると、そのサービング基地局（ｓｅｒｖｉｎｇ  ＢＳ）は、前記基地局１１０から前記基地局１４０へ変更される。
【０００６】
前記のような広帯域無線接続通信システム（ＩＥＥＥ８０２．１６システム）では、アップリンクのランダム接続チャネルとしてレンジングチャネル（Ｒａｎｇｉｎｇ  Ｃｈａｎｎｅｌ）が運用される。前記広帯域無線接続通信システムは、前記レンジングチャネルを利用して初期レンジング（Ｉｎｉｔｉａｌ  Ｒａｎｇｉｎｇ）と、周期的レンジング（Ｐｅｒｉｏｄｉｃ  Ｒａｎｇｉｎｇ）、そして帯域幅要求レンジング（Ｂａｎｄｗｉｄｔｈ  Ｒｅｑｕｅｓｔ  Ｒａｎｇｉｎｇ）が行われる。特に、初期レンジングは、端末機がシステムエントリ手続（Ｎｅｔｗｏｒｋ  ｅｎｔｒｙ  ｐｒｏｃｅｄｕｒｅ）時又はシステムの情報を損失した場合に行うものであって、アップリンクの同期獲得を目的とする。前記初期レンジング時に、基地局では受信されたレンジング信号の正確な受信時点を測定して、前記基地局と端末機との間の往復時間遅延（ｒｏｕｎｄ  ｔｒｉｐ  ｄｅｌａｙ）を計算し、この値に該当するタイミングオフセット（ｔｉｍｉｎｇ  ｏｆｆｓｅｔ）を前記端末機に知らせる。また、前記初期レンジング時に、基地局はレンジングを要請した端末機にネットワークエントリ及び制御メッセージ通信に必要な優先管理接続識別子（Ｐｒｉｍａｒｙ  Ｍａｎａｇｅｍｅｎｔ  ＣＩＤ（Ｃｏｎｎｅｃｔｉｏｎ  Ｉｄｅｎｔｉｆｉｅｒ））及び基本接続識別子（Ｂａｓｉｃ  ＣＩＤ（Ｃｏｎｎｅｃｔｉｏｎ  Ｉｄｅｎｔｉｆｉｅｒ））を割り当てる。
【０００７】
基地局がレンジングを要請した端末機に接続識別子を割り当てる初期レンジング手続を説明すると、以下のとおりである。端末機は、電源がオン（ｏｎ）になると、基地局から送信するダウンリンクプリアンブルを受信してシステム同期を獲得する。システム同期を獲得すると、前記端末機は、前記基地局からＤＬ（Ｄｏｗｎ  Ｌｉｎｋ）−ＭＡＰメッセージとＤＣＤ（Ｄｏｗｎｌｉｎｋ  Ｃｈａｎｎｅｌ  Ｄｅｓｃｒｉｐｔｏｒ）メッセージを受信し、前記受信されたメッセージからダウンリンクチャネル特性情報などを獲得する。以後、前記端末機は、前記基地局からＵＬ（Ｕｐ  Ｌｉｎｋ）−ＭＡＰメッセージとＵＣＤ（Ｕｐｌｉｎｋ  Ｃｈａｎｎｅｌ  Ｄｅｓｃｒｉｐｔｏｒ）メッセージを受信し、前記受信されたメッセージから初期レンジング機会区間情報、アップリンクチャネル特性情報、初期レンジング関連パラメータなどを獲得する。
【０００８】
このように、基地局と通信できる最小限のアップストリーム及びダウンストリームチャネル情報を獲得すると、前記端末機はこれを利用して前記基地局に基本的な接続手続であるレンジング手続を行う。すなわち、前記端末機は、前記基地局にレンジング要請（ＲＮＧ−ＲＥＱ）メッセージを送信し、前記基地局は、それに対する応答としてレンジング応答（ＲＮＧ−ＲＳＰ）メッセージを前記端末機に送信して初期レンジング手続を行う。
【０００９】
このような初期レンジング手続は、端末機が基地局に登録する前であるから、前記基地局と端末機とは接続（ｃｏｎｎｅｃｔｉｏｎ）と関連した情報を持っていない。したがって、前記端末機は、接続識別子（ＣＩＤ）として初期レンジング接続識別子を使用し、初期レンジング接続識別子は、予め決まった値（例：０ｘ００００）を有する。初期レンジング接続識別子は、すべての端末機が共通に使用するために別途に管理されない。
【００１０】
前記広帯域無線接続通信システムでは、前記初期レンジング接続識別子の他に複数の接続識別子を区分して使用する。具体的な接続識別子の種類は、下記表１のとおりである。
【００１１】
【表１】
2009522912.tif 000003
【００１２】
前記表１において、初期レンジング接続識別子（ｉｎｉｔｉａｌ  ｒａｎｇｉｎｇ  ＣＩＤ）は、上述したように、端末機が基本的に基地局に初期接続を試みるために行う前記初期レンジング手続に使用される。
【００１３】
上記の接続識別子のうち、前記初期レンジング接続識別子を除いた残りの接続識別子は、割り当て手続やその意味において、管理接続識別子とデータ送信接続識別子とに分けられる。
【００１４】
ここで、前記基本（Ｂａｓｉｃ）接続識別子と優先管理（Ｐｒｉｍａｒｙ  ｍａｎａｇｅｍｅｎｔ）接続識別子とは、前記管理（Ｍａｎａｇｅｍｅｎｔ）接続識別子に該当し、前記送信（Ｔｒａｎｓｐｏｒｔ）接続識別子は、前記データ送信接続識別子に該当する。上記の管理接続識別子は、端末機が基地局に登録を要請する手続の途中で前記基地局から前記端末機に割り当てられ、複雑なサービス交渉又は要求事項無しで前記端末機に割り当てられる。これは、前記端末機が前記基地局に登録を行うのにおいて、前記端末機が何れのサービスを利用するとしても、基本的に割り当てられなければならない接続識別子であるためである。
【００１５】
これとは異なり、送信接続識別子は、端末機が新しい接続が必要なときごとに基地局から新しく割り当てられる接続識別子である。上記の場合に、前記送信接続識別子は、前記基地局と前記端末機との間に具体的なサービスクラス要求事項などの交渉が含まれて、これを満たす場合に、前記基地局から前記端末機に割り当てられる。以下、前記表１の各接続識別子の機能を詳細に説明する。
【００１６】
前記表１において、前記基本接続識別子（Ｂａｓｉｃ  ＣＩＤ）は、基地局が端末機に割り当てる固有の接続識別子である。前記基本接続識別子は、端末機と基地局との間に接続が維持される間に前記端末機のＭＡＣ（Ｍｅｄｉａ  Ａｃｃｅｓｓ  Ｃｏｎｔｒｏｌ）アドレスの代りに使用されうる。初期接続手続（例：初期レンジング）を行った後、端末機と基地局は、前記基本接続識別子を利用して制御メッセージを送受信する。
【００１７】
また、優先管理接続識別子（Ｐｒｉｍａｒｙ  ｍａｎａｇｅｍｅｎｔ  ＣＩＤ）は、主にネットワークエントリ（ｅｎｔｒｙ）手続を行う間に使用される。前記初期レンジング手続から始まるネットワークエントリ手続は、端末登録手続、サービス内容交渉、ＩＰアドレス割り当てなど端末機が基地局に自身の情報を登録する一連の手続と定義することができる。このとき、前記優先管理接続識別子は、基本的に前記ネットワークエントリ手続を行う間に基地局が端末機を区分するのに使用され、前記基地局と端末機との通信中に重要な制御メッセージの送受信に使用される。基地局から割り当てられた前記優先管理接続識別子は、前記基本接続識別子と同様に、端末機が基地局と接続を維持する間に端末機への割り当てが維持される。
【００１８】
また、前記送信接続識別子（Ｔｒａｎｓｐｏｒｔ  ＣＩＤ）は、実際サービスデータを送受信するのに使用される。前記ネットワークエントリ手続を完了し、前記端末機が前記基地局にサービスを要請すると、前記基地局は、該当サービスデータを送受信するために前記送信接続識別子を前記端末機に割り当て、該当サービスが終わるまで該当サービスの接続を識別する用途として使用する。前記優先管理接続識別子（Ｐｒｉｍａｒｙ  ｍａｎａｇｅｍｅｎｔ  ＣＩＤ）と基本接続識別子（ｂａｓｉｃ  ＣＩＤ）とは異なり、前記送信接続識別子（ｔｒａｎｓｐｏｒｔ  ＣＩＤ）は、毎回サービスを要請するときごとに該当サービスに対して割り当てられる。したがって、前記端末機が同時に音声通話、映像サービス、インターネット検索などの様々なサービスを要請する場合に、前記端末機は、いくつかの送信接続識別子を割り当てられることができる。これとは異なり、前記優先管理接続識別子（Ｐｒｉｍａｒｙ  ｍａｎａｇｅｍｅｎｔ  ＣＩＤ）と基本接続識別子（ｂａｓｉｃ  ＣＩＤ）とは、一つの端末機に一つの接続識別子のみが割り当てられる。
【００１９】
また、前記マルチキャスト接続識別子（ｍｕｌｔｉｃａｓｔ  ＣＩＤ）は、同時に複数の端末機に同じデータを送信するのに使用される。すなわち、基地局が前記マルチキャスト接続識別子を利用してデータを送信する場合に、前記マルチキャスト接続識別子を同時に割り当てられた様々な端末機は、前記送信データを自身に送信されたデータと判断し受信する。
【００２０】
以下、前記初期レンジング手続に使用されるメッセージを説明する。
【００２１】
ここで、下記表２は、前記初期レンジング手続に使用されるメッセージ構造を示す。
【００２２】
【表２】
2009522912.tif 000004
【００２３】
前記表２に示したように、レンジング要請メッセージは、複数の情報を含む。まず、「Ｍａｎａｇｅｍｅｎｔ  Ｍｅｓｓａｇｅ  Ｔｙｐｅ」は、「４」値を有し、レンジング要請メッセージであることを表す。「ＳＳ  ＭＡＣ  Ａｄｄｒｅｓｓ」は、端末機のＭＡＣ階層のアドレスであり、端末機を区分する識別子として使用される。「Ｄｏｗｎｌｉｎｋ  Ｃｈａｎｎｅｌ  ＩＤ」は、アップリンクのチャネル情報を含むＵＣＤ（Ｕｐｌｉｎｋ  Ｃｈａｎｎｅｌ  Ｄｅｓｃｒｉｐｔｏｒ）メッセージをどのダウンリンクチャネルを介して受信したかを表す。「Ｒｅｑｕｅｓｔｅｄ  Ｄｏｗｎｌｉｎｋ  Ｂｕｒｓｔ  Ｐｒｏｆｉｌｅ」は、０〜３ビット領域と４〜７ビット領域とに区分される。前記０〜３ビット領域には、物理チャネル信号の送受信のための形式（例：変調方式、エラー訂正方式など）を要請するためのＤＩＵＣ（Ｄｏｗｎｌｉｎｋ  ｉｎｔｅｒｖａｌ  ｕｓａｇｅ  ｃｏｄｅ）が記録される。また、前記４〜７ビット領域は、レンジングを要請するために参照したＵＣＤメッセージの「Ｃｏｎｆｉｇｕｒａｔｉｏｎ  Ｃｈａｎｇｅ  Ｃｏｕｎｔ」フィールドのＬＳＢ（Ｌｅａｓｔ  Ｓｉｇｎｉｆｉｃａｎｔ  ｂｉｔｓ）４ビットが記録される。すなわち、基地局は、前記０〜３ビット領域に記録された情報を参照して、予め定義された物理チャネル信号を端末機に送信する。「ＭＡＣ  ｖｅｒｓｉｏｎ」は、該当端末機が使用するＭＡＣ階層のバージョンを表す。「Ｒａｎｇｉｎｇ  Ａｎｏｍａｌｉｅｓ」は、端末機が基地局に接続を試みるために、現在最大出力で送信しているか、又は最小出力で送信しているかなどの情報が記録される。また、前記「Ｒａｎｇｉｎｇ  Ａｎｏｍａｌｉｅｓ」は、基地局と初期接続時に端末機の送受信電力、時間情報などの補正のために送受信電力を上げるか、又は下げるように指示された場合に、これに対する応答として使用されうる。「ＡＡＳ  ｂｒｏａｄｃａｓｔ  ｃａｐａｂｉｌｉｔｙ」は、端末機が放送メッセージを受信できるか、又はできないかを表す。
【００２４】
下記表３は、基地局から端末機に送信されるレンジング応答（ＲＮＧ−ＲＳＰ）メッセージの構造を表す。
【００２５】
【表３】
2009522912.tif 000005
【００２６】
前記表３に示したように、前記レンジング応答メッセージは、複数の情報を含む。まず、「Ｍａｎａｇｅｍｅｎｔ  Ｍｅｓｓａｇｅ  Ｔｙｐｅ」は、「５」の値を有し、レンジング応答メッセージであることを表す。「ＳＳ  ＭＡＣ  Ａｄｄｒｅｓｓ」は、前記レンジング応答メッセージを受信する端末機のＭＡＣアドレスを表す。「Ｄｏｗｎｌｉｎｋ  Ｏｐｅｒａｔｉｏｎａｌ  Ｂｕｒｓｔ  Ｐｒｏｆｉｌｅ」は、端末機が要請したダウンリンクバーストプロファイル（ｄｏｗｎｌｉｎｋ  ｂｕｒｓｔ  ｐｒｏｆｉｌｅ）に対する応答、すなわち基地局で使用するＤＩＵＣのコード番号を表す。「Ｐｒｉｍａｒｙ  Ｍａｎａｇｅｍｅｎｔ  ＣＩＤ」と「Ｂａｓｉｃ  ＣＩＤ」とは、基地局が端末機に割り当てる接続識別子であって、前記端末機がレンジング以後サービスを受ける間まで続けて前記基地局と端末機との間に接続管理のために割り当てられる接続識別子である。「Ｒａｎｇｉｎｇ  Ｓｔａｔｕｓ」は、端末機のレンジング要請に対する基地局の応答として、前記「Ｒａｎｇｉｎｇ  Ｓｔａｔｕｓ」の値（１〜４が「１」である場合には、レンジングを行い続けることを指示し、「２」である場合には、レンジング手順を中止することを指示する。また、前記「Ｒａｎｇｉｎｇ  Ｓｔａｔｕｓ」の値が「３」である場合に、レンジング手順が成功したことを表し、「４」である場合には、レンジング要請を再度することを指示する。「Ｔｉｍｉｎｇ  ａｄｊｕｓｔ」は、端末機の時間を補正するための情報が記録され、「Ｐｏｗｅｒ  ｌｅｖｅｌ  ａｄｊｕｓｔ」は、端末機の送受信電力を補正するための情報が記録される。「Ｄｏｗｎｌｉｎｋ  ｆｒｅｑｕｅｎｃｙ  ｏｖｅｒｒｉｄｅ」は、前記「ｒａｎｇｉｎｇ  ｓｔａｔｕｓ」フィールド値が２と表示されて基地局が手続の中止（ａｂｏｒｔ）指示をする場合に、異なる周波数で初期レンジングを試みるように異なるチャネルの周波数値を知らせる。
【００２７】
前記表３から確認されるように、端末機は、初期レンジング手続により優先管理接続識別子（Ｐｒｉｍａｒｙ  Ｍａｎａｇｅｍｅｎｔ  ＣＩＤ）と基本接続識別子（Ｂａｓｉｃ  ＣＩＤ）とが割り当てられる。
【００２８】
一方、前記図１のような一般的な広帯域無線接続通信システムは、基地局と端末機との間に直接リンクにより信号の送受信が行われるので、基地局と端末機との間に信頼度の高い無線接続通信リンクを容易に構成できる。ところが、このような一般的な広帯域無線接続通信システムは、基地局の位置が固定されているので、無線網の構成において柔軟性が低く、よって、トラフィック分布や通話要求量の変化が激しい無線環境では、効率的な通信サービスを提供し難い。
【００２９】
このような短所を克服するために、固定された中継局（ＲＳ；Ｒｅｌａｙ  Ｓｔａｔｉｏｎ）又は移動性を有する中継局又は一般ＭＳを利用して、多重ホップ中継形態のデータ伝達方式を前記８０２．１６ｅ通信システムのような一般セルラー無線接続通信システムに適用できる。
【００３０】
多重ホップ中継方式を使用する無線接続通信システムは、通信環境の変化に迅速に対応してネットワークを再構成することができ、全体無線網をさらに效率的に運用できる。例えば、多重ホップ中継方式を使用する無線接続通信システムは、セルサービス領域を拡張させ、システム容量を増大させることができる。すなわち、基地局とＭＳとの間のチャネル状態が劣悪な場合に、前記基地局とＭＳとの間に中継局を設置して、前記中継局を介した多重ホップ中継経路を構成することによって、チャネル状態がより優れた無線チャネルを前記ＭＳに提供できる。また、基地局からチャネル状態が劣悪なセル境界地域で前記多重ホップ中継方式を使用することによって、より高速のデータチャネルを提供でき、セルサービス領域を拡張させることができる。
【００３１】
以下、前記基地局サービス領域の拡大のための多重ホップ中継方式を使用する無線接続通信システムの構造を説明する。
【００３２】
図２は、多重ホップ中継方式を使用する広帯域無線接続通信システムの構造を概略的に示す図である。すなわち、基地局サービス領域の拡大のために多重ホップ中継方式を使用した場合を示す。
【００３３】
前記図２に示すように、前記多重ホップ中継無線接続通信システムは、セル２００を管理する基地局（Ｂａｓｅ  Ｓｔａｔｉｏｎ：ＢＳ）２１０と、前記セル２００領域中に位置する複数のＭＳ２１１、２１２と、前記基地局２１０が管理するが前記セル２００領域外の領域２３０に存在する複数のＭＳ２２１、２２２、２２３と、前記基地局２１０と前記領域２３０に存在するＭＳ２２１、２２２、２３３との間に多重ホップ中継経路を提供する中継局２２０と、で構成される。ここで、前記基地局２００と前記中継局２２０及び前記ＭＳ２１１、２１２、２２１、２２２、２２３との間の信号の送受信は、ＯＦＤＭ又はＯＦＤＭＡ方式を使用して行われる。
【００３４】
このとき、前記セル２００領域に含まれる前記ＭＳ２１１、２１２と前記中継局２２０は、前記基地局２１０と信号を直接送受信できるが、前記セル２００領域外に存在するＭＳ２２１、２２２、２２３は、前記基地局２１０と信号を直接送受信できない。したがって、前記中継局２２０は、サービス領域２３０を管理し、前記信号を直接送受信できない前記基地局２１０と前記ＭＳ２２１、２２２、２２３との間の信号を中継する。すなわち、前記ＭＳ２２１、２２２、２２３は、前記中継局２２０を介して前記基地局２１０と信号を送受信できる。
【００３５】
ところが、上記の図２で説明したように、基地局が同じ中継局を利用して複数の端末機にデータを送信する際において、基地局が各々の端末機に送信する送信接続識別子（ＣＩＤ）とデータを個別的に中継局を介して送信するときには、そのとき毎に管理上必要な管理メッセージが存在しなければならないという問題がある。
【００３６】
このように基地局が同じ中継局を利用して複数の端末機にデータを送信する際において、前記中継局を介して送信する管理メッセージを減らして、帯域幅の低減を可能にする接続識別子（ＣＩＤ）管理装置及び方法が要求される。
【００３７】
すなわち、多重ホップ中継方式を使用する広帯域無線接続通信システムにおいて基地局と中継局との間の通信を行う際において、前記基地局が接続識別子を利用して中継局を目的地とするデータと中継局が端末機に中継するデータを效率的に管理できる接続識別子管理装置及び方法が要求される。
【発明の開示】
【発明が解決しようとする課題】
【００３８】
本発明は、上述の問題点に鑑みてなされたもので、その目的は、多重ホップ中継方式を使用する広帯域無線接続通信システムにおいて同じ中継局を介して複数の端末に送信するためのデータを一つに統合して送信するための装置及び方法を提供することにある。
【００３９】
本発明の他の目的は、多重ホップ中継方式を使用する広帯域無線接続通信システムにおいて、一つのペイロードに複数の目的地を有するデータが含まれることを表す接続識別子を利用して、同じ中継局を介して複数の端末に送信するためのデータを一つのペイロードに統合して送信するための装置及び方法を提供することにある。
【課題を解決するための手段】
【００４０】
上記の目的を達成すべく、本発明の一局面に従って、多重ホップ中継ネットワークのソースにおけるデータの送信方法が提供される。ここでは、少なくとも一つのパケットに対して各パケットが送信される目的地の接続識別子（Ｃｏｎｎｅｃｔｉｏｎ  Ｉｄｅｎｔｉｆｉｅｒ）が確認され、前記確認された接続識別子に基づいて、上記の目的地が中継局に接続した目的地であるか否かが判断され、前記中継局に接続した少なくとも一つのパケットの目的地が存在する場合には、上記の目的地に送信されるパケットを含むペイロード（Ｐａｙｌｏａｄ）が生成され、前記ペイロードが上記の目的地に送信する少なくとも一つのパケットを含むことを表す中継接続識別子をヘッダとして前記ペイロードに結合した中継パケットが生成され、中継パケットが前記中継局に送信される。
【００４１】
また、上記の目的を達成すべく、本発明の他の局面に従って多重ホップ中継方式を使用する無線接続通信システムにおける中継局の接続識別子の管理方法が提供される。ここでは、受信データの接続識別子が確認され、前記接続識別子が中継接続識別子であるか否かが判断される。中継接続識別子は、一つのペイロードに少なくとも一つの目的地に送信するパケットが含まれていることを表す。受信データの接続識別子が中継接続識別子である場合に、前記ペイロード領域で各々の接続識別子を有するデータが分離される。分離したデータの接続識別子が確認され、確認された接続識別子が、中継局が中継すべき目的地の接続識別子である場合には、前記目的地の接続識別子対応する分離した前記データが当該目的地に送信される。
【００４２】
また、上記の目的を達成すべく、本発明の他の局面に従って、多重ホップ中継方式を使用する無線接続通信システムのソース装置が提供される。このソース装置では、接続識別子管理部が、同じ中継局を介して少なくとも一つの目的地に送信されるデータを結合して一つのペイロードを形成し、前記ペイロードが少なくとも一つの目的地に送信するパケットを含むことを表す中継接続識別子をヘッダとして前記ペイロードに結合して中継パケットを生成し、この中継パケットを前記中継局に送信する。
【００４３】
また、上記の目的を達成すべく、本発明の他の局面に従って、多重ホップ中継方式を使用する無線接続通信システムの中継局が提供される。この中継局では、接続識別子管理部が、受信データの接続識別子を確認し、前記接続識別子が、一つのペイロードに少なくとも一つの目的地に送信するパケットが含まれていることを表す中継接続識別子であるかどうかを判断する。接続識別子管理部は、前記データのペイロード領域で各々の接続識別子を有するデータを分離する。受信したデータの接続識別子が、中継接続識別子である場合には、前記分離したデータの接続識別子を確認して、前記確認された接続識別子が、中継局が中継すべき目的地の接続識別子である場合には、前記目的地の接続識別子に対応する分離したデータを当該目的地に送信する。
【発明の効果】
【００４４】
本発明によると、多重ホップ中継方式を使用する広帯域無線接続通信システムにおいて同じ中継局を介して複数の端末に送信するためのデータを一つに統合して送信することができる。
【発明を実施するための最良の形態】
【００４５】
以下、添付図面に基づき本発明の動作原理を詳細に説明する。そして、本発明を説明するにおいて、関連した公知機能又は構成に対する具体的な説明が本発明の要旨を不明にすると判断される場合には、その詳細な説明は省略する。
【００４６】
多重ホップ中継方式を使用する広帯域無線接続通信システムは、例えば直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、以下、ＯＦＤＭと称する）方式又は直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、以下、ＯＦＤＭＡと称する）方式を使用する通信システムである。前記多重ホップ中継方式を使用する広帯域無線接続通信システムは、ＯＦＤＭ又はＯＦＤＭＡ方式を使用するため、複数のサブキャリアを使用して物理チャネル信号を送信することによって、高速のデータ送信が可能であり、多重セル構造にて端末機（ＭＳ）の移動性を支援できる。
【００４７】
以下の説明は、広帯域無線接続通信システムを例に挙げて説明するが、本発明は、多重ホップ中継方式を使用するセルラー基盤の通信システムであれば同様に適用されうる。
【００４８】
図３は、本発明によって多重ホップ中継方式を使用する広帯域無線接続通信システムの中継局においてデータを送受信するためのフレーム構造を示す図である。以下の説明は、前記図２の基地局２１０が前記中継局２２０を利用して前記セル領域２００外に存在する端末機２２１、２２２、２２３にデータパケットを送信することを例に挙げて説明する。
【００４９】
前記図３に示すように、前記フレームは、中継接続識別子（Ｒｅｌａｙ  ＣＩＤ（Ｃｏｎｎｅｃｔｉｏｎ  ＩＤ））３１３とペイロード３１５とで構成される。
【００５０】
前記中継接続識別子３１３は、前記基地局から前記中継局へ割り当てた接続識別子であって、前記ペイロード３１５が前記基地局から複数の端末機に送信するデータを含むことを表す。
【００５１】
前記ペイロード３１５は、各端末機を表す送信接続識別子（Ｔｒａｎｓｐｏｒｔ  ＣＩＤ）と前記各端末機に送信するデータとで構成される。例えば、送信接続識別子１００  ３００は、第１番目の端末機の送信接続識別子を表し、第１データ３０３は、前記第１番目の端末機に送信するデータを表す。また、送信接続識別子１０１  ３０５は、第２番目の端末機の送信接続識別子を表し、第２データ３０７は、前記第２番目の端末機に送信するデータを表す。また、送信接続識別子１０２  ３０９は、第３番目の端末機の送信接続識別子を表し、第３データ３１１は、前記第３番目の端末機に送信するデータを表す。
【００５２】
上述したように、前記広帯域無線接続通信システムの基地局において各々の端末機に３個のデータを送信する場合に、前記データをグループ化して一つのペイロードで前記中継局に送信する。この場合に、前記基地局は、前記中継局に前記一つのペイロードに対する一つの管理メッセージのみを送信して、帯域幅の低減が可能である。すなわち、前記基地局から前記３個のデータを各々前記中継局に送信する場合には、前記基地局は、前記３個のデータを送信するときごとに前記管理メッセージを前記中継局に送信する。しかしながら、前記基地局から前記一つのペイロードを利用して前記３個のデータを一度に送信する場合には、一つの管理メッセージのみが必要なため、前記帯域幅の低減が可能である。
【００５３】
ここで、前記広帯域無線接続通信システムの中継局は、接続手続又は動的サービスの追加手続の際に、基地局に前記中継接続識別子を割り当てられる。
【００５４】
前記図４に示すように、前記中継局は、前記中継局の接続手続うち、登録手続の際に前記中継接続識別子を割り当てられることができる。また、前記図５に示すように、前記中継局は、前記中継局の基本機能の交渉手続の際に、前記中継接続識別子を割り当てられることができる。
【００５５】
まず、前記中継局は、前記基地局に中継局機能の登録を要請する登録要請メッセージ（ＲＥＧ−ＲＥＱ）を送信する（４１１）。ここで、前記中継局は、前記基地局に登録要請のための登録要請メッセージを送信する際、自身が中継局機能を行うという意志を表すパラメータ又はＴＬＶ（Ｔｙｐｅ，Ｌｅｎｇｔｈ，Ｖａｌｕｅ）などを含んで送信でき、前記中継接続識別子の割り当てを要請できる。
【００５６】
次に、前記基地局は、前記登録要請メッセージに対する応答として登録応答メッセージ（ＲＥＧ−ＲＳＰ）を前記中継局に送信する（４１２）。ここで、前記基地局は、前記登録要請メッセージを送信した中継局に中継局機能を行うように許可する内容を前記登録応答メッセージに載せて前記中継局に送信する。このとき、前記基地局は、前記中継局の機能を許諾すると共に、前記中継接続識別子（Ｒｅｌａｙ  ＣＩＤ）を割り当てることができる。
【００５７】
まず、前記中継局は、前記基地局との基本機能の交渉時に前記基地局にＳＢＣ（Ｓｕｂｓｃｒｉｂｅｒ  Ｂａｓｉｃ  Ｃａｐａｂｉｌｉｔｙ）−ＲＥＱメッセージを送信して、前記基地局に中継局機能の遂行を要請する（４１３）。
【００５８】
これに対して、前記基地局は、前記中継局に前記中継局機能を行うように許可する手続を行う際に、前記中継局の中継局機能を許可すると共に、前記中継接続識別子を割り当てる（４１４）。
【００５９】
上記のように、前記中継局は、基本機能の交渉を行う際に前記基地局にＳＢＣ−ＲＥＱメッセージによって中継局機能の遂行要請を送信すると、前記基地局は、前記ＳＢＣ−ＲＳＰメッセージによって、これに対する許諾あるいは拒否意思を表示する。このとき、前記基地局は、前記ＳＢＣ−ＲＳＰメッセージ送信時に前記中継局機能の遂行を許可する場合に、中継接続識別子（Ｒｅｌａｙ  ＣＩＤ）を前記中継局に割り当てることができる。
【００６０】
上記のように基地局は、前記表１に中継接続識別子（Ｒｅｌａｙ  ＣＩＤ）を追加して、下記表４のようなＣＩＤ構成テーブルを管理することができる。
【００６１】
【表４】
2009522912.tif 000006
【００６２】
前記表４において、初期レンジング接続識別子（ｉｎｉｔｉａｌ  ｒａｎｇｉｎｇ  ＣＩＤ）は、前記中継局が基本的に基地局に初期接続を試みるために行う前記初期レンジング手続に使用される。基本接続識別子（Ｂａｓｉｃ  ＣＩＤ）は、前記基地局が前記中継局に割り当てる固有の接続識別子であり、優先管理接続識別子（Ｐｒｉｍａｒｙ  ｍａｎａｇｅｍｅｎｔ  ＣＩＤ）は、主にネットワークエントリ手続を行う間に使用される接続識別子である。また、中継接続識別子（Ｒｅｌａｙ  ＣＩＤ）は、一つのペイロードに複数の端末に送信するデータが含まれるということを表す接続識別子であり、送信接続識別子（Ｔｒａｎｓｐｏｒｔ  ＣＩＤ）は、実際のサービスデータを送受信するのに使用される接続識別子であり、マルチキャスト接続識別子（ｍｕｌｔｉｃａｓｔ  ＣＩＤ）は、同時に複数の端末機に同じデータを送信するときに使用される接続識別子である。
【００６３】
前記基地局は、前記表１の送信接続識別子又はマルチキャスト接続識別子のような他の接続識別子から前記中継接続識別子を選択することができる。
【００６４】
以上、本発明の実施の形態は、中継局が基地局に接続手続を行うＲＥＧ−ＲＥＱ／ＲＳＰ手続とＳＢＣ−ＲＥＱ／ＲＳＰ手続とを利用して、前記中継接続識別子を割り当てられることを実施の形態として説明したものである。
【００６５】
前記図６に示すように、前記中継局は、基地局に動的サービス追加要請（ＤＳＡ−ＲＥＱ）メッセージを送信して（５１１）、新しいデータ送信のための接続設定を要請する。このとき、前記中継局は、前記動的サービス追加要請メッセージを利用して、前記基地局に前記中継接続識別子の割り当てを要請する。ここでは、中継局が基地局に中継局機能の遂行に対する要請と許諾を受ける手続と別に、一般的に送信接続識別子（ｔｒａｎｓｐｏｒｔ  ＣＩＤ）を割り当てられる動的サービス追加（Ｄｙｎａｍｉｃ  Ｓｅｒｖｉｃｅ  Ａｄｄｉｔｉｏｎ：ＤＳＡ）手続時の送信接続識別子に代えて、中継接続識別子が割り当てられる。動的サービスの追加手続は、中継局が前記基地局に登録手続を行った後、データ通信サービスのために前記基地局にサービス要求を始める手続を意味する。
【００６６】
これに対して、前記基地局は、動的サービス追加要請（ＤＳＡ−ＲＥＱ）メッセージ受信を前記中継局に知らせる（５１２）。例えば、前記基地局は、ＤＳＸ−ＲＶＤメッセージを利用して、前記動的サービス追加要請メッセージに対する受信を前記中継局に知らせる。
【００６７】
その後、前記基地局は、前記動的サービス追加要請メッセージに対する応答メッセージ（ＤＳＡ−ＲＳＰ）を前記中継局に送信する（５１３）。このとき、前記基地局は、前記応答メッセージを利用して、前記中継接続識別子を前記中継局に割り当てる。
【００６８】
前記中継局は、前記応答メッセージが受信されると、前記中継接続識別子を確認し、前記応答メッセージに対する受信を前記基地局に知らせる（５１４）。
【００６９】
前記図７に示すように、基地局は、ダウンリンクで送信するデータを組み立てて第１パケットを形成する（６０１）。ここで、前記データの組み立ては、各々のデータ別に行われる。
【００７０】
次に、前記基地局は、前記データを送信する端末機の接続識別子を確認し（６０２）、前記端末機の位置を確認して（６０２、６０３）、前記端末機が中継局に接続されているか否かを確認する（６０４）。
【００７１】
もし、前記端末機が前記中継局に接続した端末機ではない場合には、前記基地局は、前記第１パケットを前記端末機に送信する（６０９）。
【００７２】
一方、前記端末機が前記中継局に接続した端末機である場合には、前記基地局は、前記第１パケットを送信する中継局を確認する（６０５）。すなわち、前記基地局は、前記端末機が接続した前記中継局を確認する。
【００７３】
前記中継局を確認した後、前記基地局は、前記中継局を介して送信する他のパケットが存在しているか否かを確認する。このとき、前記基地局は、前記中継局を介して送信するパケットが存在しないまで、前記パケットの存在を確認する。ここで、前記パケットは、前記ステップ６０１〜６０５をすべて経て、前記パケットを送信した端末機の接続識別子と位置及び中継局を確認したパケットを意味する。
【００７４】
以後、前記中継局に送信するパケットが複数存在する場合に、前記基地局は、前記パケットを結合して一つのペイロードを形成する（６０７）。例えば、前記基地局は、前記図３に示すように、前記端末機の接続識別子をヘッダとして有するデータパケットを結合して、前記ペイロードを形成する。
【００７５】
前記ペイロードを形成した後、前記基地局は、前記ペイロードに前記中継局の中継接続識別子をヘッダとして結合する（６０８）。
【００７６】
以後、前記基地局は、前記中継接続識別子と結合された前記ペイロードを前記中継局に送信する（６０９）。
【００７７】
ここで、前記基地局が前記複数の端末に送信するデータを一つのペイロードで結合する場合、前記基地局から中継局へ送信するフレームの大きさによって、前記端末に送信するデータを含む複数のペイロードを形成することができる。
【００７８】
ここで、前記中継接続識別子は、前記中継局が前記基地局に登録する時点で前記中継局が前記基地局と通信するために割り当てられた管理接続識別子の一種であるか、又は前記中継局が必要な場合に前記基地局に要請して割り当てられたデータ送信接続識別子である。前記中継局は、固定中継局であるインフラストラクチャー中継局又は移動端末機が中継局の機能を行うクライアント中継局である。
【００７９】
前記図８に示すように、まず前記中継局は、前記基地局からデータを受信すると（７０１）、前記受信したデータの接続識別子を確認する（７０２）。
【００８０】
以後、前記中継局は、前記接続識別子が前記中継接続識別子であるか否かを確認する（７０３）。
【００８１】
もし、前記接続識別子が前記中継接続識別子ではない場合には、前記中継局は、前記受信データを処理する（７０９）。
【００８２】
一方、前記接続識別子が前記中継接続識別子である場合には、前記中継局は、ペイロード領域を確認して（７０４）、接続識別子別にデータを分離する（７０５）。
【００８３】
前記接続識別子別に前記データを分離した後、前記中継局は、前記各々のデータの接続識別子を確認して（７０６）、前記接続識別子が、前記中継局が中継しなければならない接続識別子であるか否かを確認する（７０７）。
【００８４】
前記接続識別子が、前記中継局が中継する接続識別子である場合には、すなわち、前記中継局に接続した端末機の接続識別子である場合には、前記中継局は、前記接続識別子をヘッダとして有するデータを、ダウンリンクを介して目的端末機に送信する（７０８）。
【００８５】
一方、前記接続識別子が前記中継局の接続識別子である場合には、前記中継局は、前記接続識別子をヘッダとして有するデータを処理する（７０９）。
【００８６】
ここで、中継接続識別子は、前記中継局が前記基地局に登録する時点で前記中継局が前記基地局と通信するために割り当てられた管理接続識別子の一種である中継接続識別子であるか、又は前記中継局が必要な場合に前記基地局に要請して割り当てられたデータ送信接続識別子である。また、前記中継局は、インフラストラクチャー中継局又はクライアント中継局である。
【００８７】
上述した実施の形態において、前記基地局は、同じ中継局を介して送信する複数の端末機のデータを一つのペイロードで構成して前記中継局に送信する。したがって、図示していないが、前記基地局は、前記中継局を介してデータを送信する複数の端末機に対するデータを結合して一つのペイロードを形成し、前記ペイロードに前記中継局の中継接続識別子を結合して前記中継局に送信する基地局接続識別子管理部を備える。
【００８８】
また、前記中継局は、受信されるデータが前記中継接続識別子を含む場合に、ペイロード領域に含まれた各々の接続識別子に対するデータを分離して中継を行う。したがって、図示していないが、前記中継局は、基地局から受信した中継接続識別子を有するデータのペイロード領域で各々の接続識別子を有するデータを分離し、前記接続識別子を有するデータの接続識別子が、中継局が中継しなければならない接続識別子である場合に、前記データを、ダウンリンクを介して目的端末機に送信する中継接続識別子管理部を備える。
【００８９】
このとき、前記基地局と中継局においても、前記中継接続識別子は、前記中継局が前記基地局に登録する時点で前記中継局が前記基地局と通信するために割り当てられた管理接続識別子の一種である中継接続識別子であるか、又は前記中継局が必要な場合に前記基地局に要請して割り当てられた送信中継接続識別子である。また、前記中継局は、インフラストラクチャー中継局又はクライアント中継局である。
【００９０】
さらに上述した実施の形態は、前記広帯域無線接続通信システムにおいてダウンリンクデータを送信する際、同じ中継局を介して中継サービスを支援する複数の端末機に対するデータを一つのペイロードで構成することを例に挙げて説明したが、アップリンクにも同様に適用できる。
【００９１】
上述したように、本発明は、多重ホップ中継方式を使用する広帯域無線接続通信システムにおいて基地局が同じ中継局を介して複数の端末機と通信を行うのにおいて、接続識別子を利用して中継局を目的地とするデータと中継局が端末機に中継するデータを区分して管理できる中継用接続識別子管理装置及び方法を提供して、管理メッセージの内容を減らして帯域幅の低減が可能でかつ効率的な通信を可能にする。また、このような装置及び方法を含む中継局と基地局とを提供することができる。
【００９２】
一方、本発明の詳細な説明では具体的な実施の形態について説明したが、本発明の範囲から逸脱しない範囲内で多様な変形が可能である。よって、本発明の範囲は、上述の実施の形態に限って定められず、特許請求の範囲だけでなく、特許請求の範囲と均等なものによって定められねばならない。
【図面の簡単な説明】
【００９３】
【図１】一般的な広帯域無線接続通信システムの構造を概略的に示す図である。
【図２】多重ホップ中継方式を使用する広帯域無線接続通信システムの構造を概略的に示す図である。
【図３】本発明によって多重ホップ中継方式を使用する広帯域無線接続通信システムの中継局においてデータを送受信するためのフレーム構造を示す図である。
【図４】本発明の一実施の形態による多重ホップ中継方式を使用する広帯域無線接続通信システムにおいて、中継局が基地局から中継接続識別子（ＣＩＤ）を割り当てられる手続を示す図である。
【図５】本発明の一実施の形態による多重ホップ中継方式を使用する広帯域無線接続通信システムにおいて、中継局が基地局から中継接続識別子（ＣＩＤ）を割り当てられる手続を示す図である。
【図６】本発明の他の実施の形態による多重ホップ中継方式を使用する広帯域無線接続通信システムにおいて、中継局が基地局から中継接続識別子（ＣＩＤ）を割り当てられる手続を示す図である。
【図７】本発明の実施の形態による多重ホップ中継方式を使用する広帯域無線接続通信システムにおいて、基地局の通信手続を示すフローチャートである。
【図８】本発明の実施の形態による多重ホップ中継方式を使用する広帯域無線接続通信システムにおいて、中継局の通信手続を示すフローチャートである。
【図１】
2009522912.tif 000007
【図２】
2009522912.tif 000008
【図３】
2009522912.tif 000009
【図４】
2009522912.tif 000010
【図５】
2009522912.tif 000011
【図６】
2009522912.tif 000012
【図７】
2009522912.tif 000013
【図８】
2009522912.tif 000014
【国際調査報告】
2009522912.tif 000015
2009522912.tif 000016